(57)【要約】【課題】スキャンした画像をＵＳＢメモリ２に保存する処理において、ＵＳＢメモリ２の空き容量が足りなくなったときでも、余計な処理負担を掛けず、簡便に処理を継続させることができる複合機１を提供する。【解決手段】  複合機１は、接続されているＵＳＢメモリ２の空き容量が画像メモリ１０９に記憶されているスキャンファイルの容量未満のときは、ＵＳＢメモリ２に既に記憶されている既記憶データを液晶表示装置１１６に表示し、液晶表示装置１１６に表示された既記憶データの中から操作部１０４の入力により選択されたデータを削除するとともに、ＵＳＢメモリ２の空き容量が液晶画像表示装置１１６に記憶されているスキャンファイルの容量以上のときは、ＵＳＢメモリ２にスキャンファイルを送信する。【選択図】図３
2008066934.tif 000002
【特許請求の範囲】
【請求項１】
原稿画像を読取る読取手段と、該読取手段により読取られた画像データを少なくとも可搬型記憶装置に送信するまで記憶する一時記憶手段と、前記可搬型記憶装置と接続する接続手段と、所定の情報が表示される表示手段と、外部からの入力を受け付ける受付手段と、各種処理を制御する制御手段と、を備える画像処理装置であって、
前記制御手段は、
前記接続手段により接続されている可搬型記憶装置の空き容量が前記一時記憶手段に記憶されている画像データの容量未満のときは、前記接続手段により接続されている可搬型記憶装置に記憶されている既記憶データを前記表示手段に表示し、前記表示手段に表示された既記憶データの中から前記受付手段によって受け付けられた入力に基づいて選択されたデータを削除するとともに、
前記接続手段により接続されている可搬型記憶装置の空き容量が前記一時記憶手段に記憶されている画像データの容量以上のときは、前記接続手段により接続されている可搬型記憶装置に前記一時記憶手段に記憶されている画像データを送信することを特徴とする画像処理装置。
【請求項２】
前記制御手段は前記既記憶データを、当該既記憶データの属性に応じた配列で表示することを特徴とする請求項１に記載の画像処理装置。
【請求項３】
前記既記憶データの属性は、当該既記憶データの作成日時であることを特徴とする請求項２に記載の画像処理装置。
【請求項４】
前記既記憶データの属性は、当該既記憶データの保管場所であることを特徴とする請求項２または請求項３に記載の画像処理装置。
【請求項５】
前記制御手段は、前記既記憶データのうち削除不能データを前記表示手段に表示せずに、削除可能データを前記表示手段に表示することを特徴とする請求項１から請求項４のいずれか１に記載の画像処理装置。
【請求項６】
前記制御手段は、前記接続手段により接続された可搬型記憶装置の空き容量が前記一時記憶手段に記憶されている画像データの容量未満のときは、更に、前記接続手段により接続された可搬型記憶装置の空き容量および前記一時記憶手段に記憶されている画像データの容量を前記表示手段に表示し、
前記表示手段に表示された既記憶データの中から選択されたデータを削除したときは、前記表示手段に表示した前記接続手段により接続された可搬型記憶装置の空き容量の値を更新することを特徴とする請求項１から請求項５のいずれか１に記載の画像処理装置。
【請求項７】
前記制御手段は、前記一時記憶手段に記憶されている画像データの容量から前記接続手段により接続された可搬型記憶装置の空き容量を除した値以上の容量の既記憶データを前記表示手段に強調して表示することを特徴とする請求項１から請求項６のいずれか１に記載の画像処理装置。
【請求項８】
前記制御手段は、前記受付手段によって受け付けられた入力に基づいて、前記表示手段に表示された既記憶データの中から指定されたデータの容量と前記接続手段により接続された可搬型記憶装置の空き容量とを加算した値を表示することを特徴とする請求項１から請求項６のいずれか１に記載の画像処理装置。
【請求項９】
新たな可搬型記憶装置を前記接続手段により接続したときに、
前記制御手段は、
前記接続手段により接続されている新たな可搬型記憶装置の空き容量が前記一時記憶手段に記憶されている画像データの容量未満のときは、前記接続手段により接続されている新たな可搬型記憶装置に記憶されている既記憶データを前記表示手段に表示し、前記表示手段に表示された既記憶データの中から前記受付手段によって受け付けられた入力に基づいて選択されたデータを削除するとともに、
前記接続手段により接続されている新たな可搬型記憶装置の空き容量が前記一時記憶手段に記憶されている画像データの容量以上のときは、前記接続手段により接続されている新たな可搬型記憶装置に前記一時記憶手段に記憶されている画像データを送信することを特徴とする請求項１から請求項８のいずれか１に記載の画像処理装置。
【発明の詳細な説明】
【技術分野】
【０００１】
本発明は、画像処理装置に関し、詳しくは、原稿画像を読取って、読取った画像データを可搬型記憶装置に記憶させる処理を行う画像処理装置に関する。
【背景技術】
【０００２】
従来、外部から原稿画像を読取り、読取った画像データを記憶する一連の処理を行うスキャナ装置やスキャナ機能を備えた複合機などの画像処理装置にあっては、自装置内部に備わったＨＤＤ（hard disk drive）などの記憶部に読取った画像データを記憶するもののほかに、フラッシュメモリなどの可搬型記憶装置を接続可能な構成として、読取った画像データを可搬型記憶装置に記憶させるものが提案されている（例えば特許文献１）。
【特許文献１】特開２００６−１３９５０２号公報
【発明の開示】
【発明が解決しようとする課題】
【０００３】
しかし、このような画像処理装置は、可搬型記憶装置の空き容量が足りず読取った画像データを記憶できない場合であっても、一旦可搬型記憶装置への画像データの送信を開始し、送信途中で可搬型記憶装置の記憶容量オーバーにより送信エラーとなることで、空き容量が足りないと判断されていた。このように一旦可搬型記憶装置に画像データを送信する処理を行うこととなるために余計な負担がかかる問題点があった。
【０００４】
また、このような画像処理装置は、可搬型記憶装置の空き容量が足りなくなり読取った画像データを記憶できなくなると、当該画像データを破棄して一連の処理を中断して終了させるものであるので、ユーザは可搬型記憶装置に記憶されているデータを削除して空き容量を確保した上で、再度原稿画像の読取から処理を行わなければならなかった。そのため、ユーザが行う操作が煩雑なものとなり、また、二重に原稿画像を読取ることとなるので作業の効率が悪くなるといった問題があった。
【０００５】
そこで、本発明は、可搬型記憶装置の空き容量が足りなくなったときでも、余計な処理を必要とせず、簡便に効率よく処理を継続させることができる画像処理装置を提供することを目的とする。
【課題を解決するための手段】
【０００６】
上記目的を達成するために、請求項１に記載の画像処理装置は、原稿画像を読取る読取手段と、前記読取手段により読取られた画像データを少なくとも可搬型記憶装置に送信するまで記憶する一時記憶手段と、可搬型記憶装置を接続する接続手段と、所定の情報を表示する表示手段と、外部からの入力を受け付ける受付手段と、各種処理を制御する制御手段と、を備える画像処理装置であって、前記制御手段は、前記接続手段により接続されている可搬型記憶装置の空き容量が前記一時記憶手段に記憶されている画像データの容量未満のときは、前記接続手段により接続されている可搬型記憶装置に記憶されている既記憶データを前記表示手段に表示し、前記表示手段に表示された既記憶データの中から前記受付手段によって受け付けられた入力に基づいて選択されたデータを削除するとともに、前記接続手段により接続されている可搬型記憶装置の空き容量が前記一時記憶手段に記憶されている画像データの容量以上のときは、前記接続手段により接続されている可搬型記憶装置に前記一時記憶手段に記憶されている画像データを送信することを特徴としている。
【０００７】
この構成によれば、画像処理装置には読取り手段、一時記憶手段、接続手段、表示手段、受付手段、および制御手段が備わる。読取り手段により原稿画像は読取られ、読取られた画像データは一時記憶手段により少なくとも可搬型記憶装置に送信するまで記憶される。また、接続手段により可搬型記憶装置は接続され、表示手段により所定の情報は表示され、受付手段により外部からの入力は受け付けられ、制御手段により各種処理は制御される。制御手段により、接続手段により接続されている可搬型記憶装置の空き容量が一時記憶手段に記憶されている画像データの容量未満のときは、接続手段により接続されている可搬型記憶装置に記憶されている既記憶データは表示手段に表示され、表示手段に表示された既記憶データの中から受付手段によって受け付けられた入力に基づいて選択されたデータは削除される。制御手段により、接続手段により接続されている可搬型記憶装置の空き容量が一時記憶手段に記憶されている画像データの容量以上のときは、接続手段により接続されている可搬型記憶装置に一時記憶手段に記憶されている画像データは送信される。
【０００８】
なお、ここで「読取られた画像データ」とは、読取手段（スキャナ）により読取られたデータそのものの他、読取られたデータを色調整、色空間変換、２値化等の処理を行ったデータや符号化（エンコード）しファイル形式としたデータも含む概念である。また、「可搬型記憶装置の空き容量」とは、可搬型記憶装置に記憶されている各種のデータを削除することなく新たに記憶させることができるデータの量のことであり、「画像データの容量」とは可搬型記憶装置に画像データを記憶させるときに必要な空き容量のことである。また、「既記憶データ」とは可搬型記憶装置に記憶されており、未だ削除されていないデータのことをである。また、「データを削除する」とは、データが記憶されている記憶領域が開放されれば良く、記憶領域に記憶されているデータが現実に消去されていなくても良い。
【０００９】
このように、一時記憶手段に記憶された画像データは少なくとも可搬型記憶装置に送信するまで記憶される。したがって、接続手段により接続されている可搬型記憶装置の空き容量が一時記憶手段に記憶されている画像データの容量未満のときであっても、一時記憶手段に記憶された画像データは破棄されない。すなわち接続されている可搬型記憶装置の容量が不足して、一時記憶手段に記憶されている画像データを可搬型記憶装置に記憶させることができない場合にも、一時記憶装置に記憶されている画像データは破棄されない。したがって、可搬型記憶装置に記憶されている既記憶データを削除するなどして可搬型記憶装置に記憶できる容量を増やすことで、再度原稿画像を読取ることなく、画像データを可搬型記憶装置に記憶させることができるので効率的に作業を継続することができる。
【００１０】
また、接続されている可搬型記憶装置の空き容量が一時記憶手段に記憶されている画像データの容量未満のとき、すなわち、接続されている可搬型記憶装置の容量が不足して一時記憶手段に記憶されている画像データを可搬型記憶装置に記憶させることができない場合に、可搬型記憶装置の既記憶データが表示手段に表示され、表示された既記憶データの中から受付手段により受け付けられた入力に基づいて選択されたデータが削除される。そして、選択されたデータを削除することにより可搬型記憶装置の空き容量が一時記憶手段に記憶されている画像データの容量以上となると、一時記憶装置に記憶されている画像データは可搬型記憶装置に送信される。したがって、可搬型記憶装置の空き容量が足りなくなったときでも、表示手段に表示された既記憶データの中から削除するデータを選択するだけで、簡便に画像データを可搬型記憶装置に記憶させることができる。
【００１１】
また、接続手段により接続されている可搬型記憶装置の空き容量が一時記憶手段に記憶されている画像データの容量未満のときは、可搬型記憶装置に記憶されている既記憶データを送信しない。したがって、一旦可搬型記憶装置への画像データの送信を開始し、送信途中で可搬型記憶装置の記憶容量オーバーにより送信エラーとなるといった余計な処理を行わないので、接続手段や制御手段に余計な負荷が掛からず、処理時間も短縮することができる。
【００１２】
請求項２に記載の画像処理装置は、請求項１に記載の画像処理装置であって、前記制御手段は前記既記憶データを、当該既記憶データの属性に応じた配列で表示することを特徴としている。
【００１３】
この構成によれば、制御手段により既記憶データは当該既記憶データの属性に応じた配列で表示される。なお、ここで「既記憶データの属性」とは、既記憶データに関する固有情報のことをいい、ファイルの種類、容量、作成日時、更新日時、保管場所などの情報をいう。
【００１４】
このように、既記憶データの属性に応じた配列で表示されるので、ユーザは削除する既記憶データを見つけやすい。したがって、ユーザ操作をより簡便にすることができる。
【００１５】
請求項３に記載の画像処理装置は、請求項２に記載の画像処理装置であって、前記既記憶データの属性は、当該既記憶データの作成日時であることを特徴としている。
【００１６】
この構成によれば、制御手段により既記憶データは当該既記憶データの作成日時に応じた配列で表示される。
【００１７】
このように、既記憶データの作成日時に応じた配列で表示されるので、例えば作成日時が古いデータを容易に見つけることができる。これにより、ユーザは削除する既記憶データを見つけやすい。したがって、ユーザ操作をより簡便にすることができる。
【００１８】
請求項４に記載の画像処理装置は、請求項２または請求項３に記載の画像処理装置であって、前記既記憶データの属性は、当該既記憶データの保管場所であることを特徴としている。
【００１９】
この構成によれば、制御手段により既記憶データは当該既記憶データの保管場所に応じた配列で表示される。なお、ここで「既記憶データの保管場所」とは、可搬型記憶媒体の物理的な記憶領域の場所を指すのもではなく、フォルダやディレクトリといったデータへのアクセスを容易にするために便宜的に設けられた概念をいう。
【００２０】
これにより、例えば読取り手段により読取った画像データをその画像データの重要度に応じた保管場所に保管するようにしている場合などに、より重要度の低い既記憶画像データを削除候補のデータとして配列して表示することができる。したがって、ユーザは任意の既記憶画像データのグループを容易に見つけやすくなり、削除する既記憶データを見つけやすい。したがって、ユーザ操作をより簡便にすることができる。
【００２１】
請求項５に記載の画像処理装置は、請求項１から請求項４のいずれか１に記載の画像処理装置において、前記制御手段は、前記既記憶データのうち削除不能データを前記表示手段に表示せずに、削除可能データを前記表示手段に表示することを特徴としている。
【００２２】
この構成によれば、制御手段により既記憶データのうち削除不能データは表示手段に表示されない。一方、削除可能データは表示手段に表示される。なお、ここで「削除不能データ」とは、ユーザが認証されている場合に削除を実行する権限がないデータ、ユーザが認証されていないために削除を実行することができないデータおよびユーザの認証の有無に関わらず削除を実行することができないデータのいずれも含む。また、「削除可能データ」とは、認証されたユーザが削除を実行する権限を有するデータおよび認証されていないユーザであっても削除をすることが可能なデータのいずれも含む。
【００２３】
これにより、削除することができない既記憶データは表示手段に表示されないので、ユーザは削除する既記憶データを見つけやすい。
【００２４】
請求項６に記載の画像処理装置は、請求項１から請求項５のいずれか１に記載の画像処理装置であって、前記制御手段は、前記接続手段により接続された可搬型記憶装置の空き容量が前記一時記憶手段に記憶されている画像データの容量未満のときは、更に、前記接続手段により接続された可搬型記憶装置の空き容量および前記一時記憶手段に記憶されている画像データの容量を前記表示手段に表示し、前記表示手段に表示された既記憶データの中から選択されたデータを削除したときは、前記表示手段に表示した前記接続手段により接続された可搬型記憶装置の空き容量の値を更新することを特徴としている。
【００２５】
この構成によれば、接続手段により接続された可搬型記憶装置の空き容量が一時記憶手段に記憶されている画像データの容量未満のときは、制御手段により接続手段により接続された可搬型記憶装置の空き容量および一時記憶手段に記憶されている画像データの容量は前記表示手段に表示される。また、表示手段に表示された既記憶データの中から選択されたデータを削除したときは、制御手段により表示手段に表示した接続手段により接続された可搬型記憶装置の空き容量の値は更新される。なお、ここで「空き容量の値」とは、可搬型記憶装置の空き容量を例えばデータのバイト数などで数値化したものをいう。
【００２６】
これにより、ユーザは接続手段により接続された可搬型記憶装置の空き容量が一時記憶手段に記憶されている画像データの容量未満のときに、可搬型記憶装置の空き容量および一時記憶手段に記憶されている画像データの容量を把握することができる。したがって、ユーザは可搬型記憶装置の空き容量をどれだけ増やせば、一時記憶手段に記憶されている画像データを可搬型記憶装置に記憶させることができるか把握することができる。
【００２７】
請求項７に記載の画像処理装置は、請求項１から請求項６のいずれか１に記載の画像処理装置であって、前記制御手段は、前記一時記憶手段に記憶されている画像データの容量から前記接続手段により接続された可搬型記憶装置の空き容量を除した値以上の容量の既記憶データを前記表示手段に強調して表示することを特徴としている。
【００２８】
この構成によれば、制御手段により、一時記憶手段に記憶されている画像データの容量から接続手段により接続された可搬型記憶装置の空き容量を除した値以上の容量の既記憶データが強調して既記憶データに表示される。なお、ここで「強調して表示」とは、例えば他の既記憶データの表示と比較して白と黒とを反転させて表示、他の既記憶データの表示よりも大きく表示または他の既記憶データと異なる色彩で表示等を含み、ユーザの注意をより引き易い態様で表示されることをいう。
【００２９】
これにより、削除すれば一時記憶手段に記憶されている画像データを可搬型記憶装置に記憶することができるようになる既記憶データが強調して表示される。したがって、ユーザは強調された既記憶データの中から削除する既記憶データを選択すればよいので、より簡単に削除する既記憶データを選択できる。
【００３０】
請求項８に記載の画像処理装置は、請求項１から請求項６のいずれか１に記載の画像処理装置であって、前記制御手段は、前記受付手段によって受け付けられた入力に基づいて、前記表示手段に表示された既記憶データの中から指定されたデータの容量と前記接続手段により接続された可搬型記憶装置の空き容量とを加算した値を表示することを特徴としている。
【００３１】
この構成によれば、制御手段により、表示手段に表示された既記憶データの中から指定されたデータの容量と接続手段に接続された可搬型記憶装置の空き容量とを加算した値が表示される。
【００３２】
これにより、ユーザは可搬型記憶装置に記憶されている既記憶データの中から指定したデータを削除したときの可搬型記憶装置の空き容量を把握することができる。したがって、ユーザはどの既記憶データを削除すると、一時記憶手段に記憶されている画像データを可搬型記憶装置に記憶させることができるか容易に把握できる。
【００３３】
請求項９に記載の画像処理装置は、請求項１から請求項８のいずれか１に記載の画像処理装置であって、新たな可搬型記憶装置を前記接続手段により接続したときに、前記制御手段は、前記接続手段により接続されている新たな可搬型記憶装置の空き容量が前記一時記憶手段に記憶されている画像データの容量未満のときは、前記接続手段により接続されている新たな可搬型記憶装置に記憶されている既記憶データを前記表示手段に表示し、前記表示手段に表示された既記憶データの中から前記受付手段によって受け付けられた入力に基づいて選択されたデータを削除するとともに、前記接続手段により接続されている新たな可搬型記憶装置の空き容量が前記一時記憶手段に記憶されている画像データの容量以上のときは、前記接続手段により接続されている新たな可搬型記憶装置に前記一時記憶手段に記憶されている画像データを送信することを特徴としている。
【００３４】
この構成によれば、接続手段により新たな可搬型記憶装置を接続すると、接続手段により接続されている新たな可搬型記憶装置の空き容量が一時記憶手段に記憶されている画像データの容量未満のときは、制御手段により新たに接続された可搬型記憶装置に記憶されている既記憶データが前記表示手段に表示される。また、制御手段により表示手段に表示された新たな可搬型記憶装置に記憶されている既記憶データの中から受付手段によって受け付けられた入力に基づいて選択されたデータが削除される。新たに接続された可搬型記憶装置の空き容量が一時記憶手段に記憶されている画像データの容量以上のときは、新たに接続された可搬型記憶装置に、一時記憶手段に記憶されている画像データが送信される。
【００３５】
これにより、接続手段により接続された可搬型記憶装置の空き容量が一時記憶手段に記憶されている画像データの容量未満の場合に、新たな可搬型記憶装置に交換したときにも、一時記憶手段に記憶された画像データは破棄されない。したがって、可搬型記憶装置を交換して新たな可搬型記憶装置に画像データを記憶させる場合にも、原稿画像を再度読取らなくて良いので、ユーザの作業が煩雑となることを防ぐことができる。
【発明を実施するための最良の形態】
【００３６】
以下、本発明に係る画像処理装置の一例としての複合機１、及び、画像処理装置に接続される可搬型記憶装置の一例としてのＵＳＢメモリ２について説明する。複合機１は、スキャナ機能、印刷機能、複写機能、ファクシミリ通信機能、電子メール通信機能等を備えている。また、ＵＳＢメモリ２は、いわゆるＵＳＢメモリとして種々の情報を記憶することができ、複合機１のスキャナ機能により読取られた原稿画像のスキャナファイル（画像データ）を記憶することもできる。
【００３７】
図１は、複合機１の構成例を示したブロック図である。この複合機１は、図１に示すように、制御部（ＣＰＵ：Central Processing Unit）１０１、ＲＯＭ（Read Only Memory）１０２、ＲＡＭ（Random Access Memory）１０３、操作部１０４、報知部１０５、原稿読取部１０６、画像処理部１０７、コーデック（ＣＯＤＥＣ：Coder and Decoder）１０８、画像メモリ１０９、プリンタ１１０、ＦＡＸ通信部１１１、ＬＡＮ−Ｉ／Ｆ（Local Area Network Interface）１１２、及び、ＵＳＢホストコントローラ１１３を備えており、各部１０１乃至１１３は、バス１１５によって通信可能に接続されている。
【００３８】
ＣＰＵ１０１は、ＲＯＭ１０２に格納されている制御プログラムに従って、複合機１の各部の動作を制御する。ＲＯＭ１０２は、ＣＰＵ１０１によりこの複合機１の各部の動作を制御するための前記制御プログラム等を格納する。ＲＡＭ１０３は、複合機１の動作に用いる設定情報等の各種データ等を、読み出し及び書き込みが可能な状態で記憶するものである。
【００３９】
操作部１０４は、図示しないが、原稿の読み取り動作の開始を指示するためのスタートキー、ファクシミリ番号、コピー部数等を入力するためのテンキー、操作対象を指定するためのカーソルキー、操作の決定を行う決定キー等の入力キーを備えている。報知部１０５は、各種の設定状態や自装置１及び６の動作状態等を表示するタッチパネル式の液晶表示装置（ＬＣＤ：Liquid Crystal Display）（オペレーションパネル）１１６や、点灯又は消灯で表示するＬＥＤ（Light Emitting Diode）ランプ、所定の警告音を鳴動するスピーカ等を備えている。なお、液晶表示装置１１６は、本実施形態においてはカラー表示可能なものであり、スキャナファイル（画像データ）のサムネイルを表示することができる。
【００４０】
原稿読取部１０６は、原稿の画像を読み取ってスキャンデータを生成するものであり、図示しないが、例えば、透明な原稿載置板に載置された原稿を読み取るフラット・ベッド・スキャナ（ＦＢＳ：Flat Bed Scanner）や、原稿トレイに載置された原稿を読み取るべく、その原稿を搬送する自動原稿給送装置（ＡＤＦ：Automatic Document Feeder）を備えている。
【００４１】
画像処理部１０７は、原稿読取部１０６から出力されたスキャンデータに対して、色調整、色空間変換、２値化等の処理を行うものである。また、この画像処理部１０７では、原稿読取部１０６から出力されたスキャンデータのサムネイルを生成する処理も行う。コーデック１０８は、画像処理部１０７等によって処理されたスキャンデータを符号化（エンコード）し、また、符号化されたスキャナファイル（画像データ）を復号（デコード）するものである。コーデック１０８に入力されたスキャンデータは、ＪＰＥＧ、ＭＨ、ＭＲ、ＭＭＲ、ＪＢＩＧ方式等に基づいて符号化されたスキャナファイルにされ、画像メモリ１０９に記憶される。
【００４２】
プリンタ１１０は、画像メモリ１０９から読み出され、コーデック１０８によって復号された画像を印刷出力するものである。
【００４３】
ＦＡＸ通信部１１１は、原稿画像をファクシミリ通信するものであり、図示しないが、モデム（ＭＯＤＥＭ：MOdulator-DEModulator）及びＮＣＵ（Network Control Unit）を備えている。モデムは、例えばＩＴＵ−Ｔ（国際電気通信連合電気通信標準化部門）の勧告Ｖ．３４規格又はこれと同様のものに従った送受信データの変調及び復調を行うものである。ＮＣＵは、電話回線を制御して電話をかけたり、切ったりする回線網制御装置であり、図示しないＰＳＴＮに接続される。ＰＳＴＮには、複合機１の他にＧ３ファクシミリ装置等が通信可能に接続され、複合機１は、Ｇ３ファクシミリ装置等との間で画像をファクシミリ送受信することが可能である。
【００４４】
ＬＡＮ−Ｉ／Ｆ１１２は、複合機１を図示しないＬＡＮに接続可能にするものである。ＬＡＮには、図示しないパーソナルコンピュータ等が接続され、複合機１はパーソナルコンピュータ等との間でデータの通信が可能である。また、ＬＡＮは、図示しないルータを介してインターネットに接続されている。したがって、複合機１は、他の複合機との間でインターネットファクシミリ通信（電子メール通信）を行うことも可能である。
【００４５】
ＵＳＢホストコントローラ１１３は、ＵＳＢのホストコントローラ機能を実現するものである。ＵＳＢホストコントローラ１１３に設けられたＵＳＢポート１１４に、ＵＳＢメモリ２のＵＳＢポート２０４が接続されることにより、複合機１とＵＳＢメモリ２とが通信可能に接続される。
【００４６】
図２は、ＵＳＢメモリ２の構成例を示したブロック図である。このＵＳＢメモリ２は、図２に示すように、記憶部２０２及びＵＳＢデバイスコントローラ２０３を備えており、記憶部２０２とＵＳＢデバイスコントローラ２０３とはバス２０５によって通信可能に接続されている。
【００４７】
記憶部２０２はＵＳＢデバイスコントローラ２０３のＵＳＢポート２０４を介して外部装置から受信した各種データを記憶するものであり、本実施形態においてはフラッシュメモリ(flash memory)が採用されている。
【００４８】
ＵＳＢデバイスコントローラ２０３は、ＵＳＢのデバイスコントローラ機能を実現するものであり、ＵＳＢメモリ２をＵＳＢ接続による通信においてデバイスとして機能させるものである。
【００４９】
次に、図３に基づいてスキャナ処理について説明する。ここでスキャナ処理とは原稿画像の読み取りから、読取ったスキャンデータをＪＰＥＧ等のファイル形式のスキャンファイルに符号化し、スキャンファイルを保存するまでの一連の処理を言う。ユーザは、まず、原稿読取部１０６において、紙媒体などの原稿を例えばフラット・ベット・スキャナの原稿載置板の上にセットし、操作部１０４において、処理内容をスキャンに設定し、スキャンファイルの保存先や原稿のサイズ等を設定し、スタートキーを押下することでスキャナ処理を開始する。なお、スキャンデータの保存先としては、例えば複合機１がＬＡＮ−Ｉ／Ｆ１１２により接続されているＬＡＮに構成された外部記憶装置などを指定することもできるが、本実施形態においてはＵＳＢポート１１４に接続されたＵＳＢメモリ２内のフォルダが選択される。
【００５０】
スキャナ処理において、制御部１０１は、まず、原稿読取部１０６により原稿画像の読み取り（スキャン）を行う（Ｓ１０１）。そして、制御部１０１は読取ったスキャンデータに対して、画像処理部１０７により、色調整、色空間変換、２値化等の処理を行い、コーデック１０８において、例えばＪＰＥＧ等のファイル形式に符号化されたスキャンファイル（画像データ）を生成する（Ｓ１０２）。なお、この時、同時にスキャンデータのサムネイルも形成する。そして、生成したスキャンファイル（画像データ）及びサムネイルを画像メモリ１０９に一旦保存して（Ｓ１０３）、ステップ１０４に処理を進める。なお、ここで画像メモリ１０９は保存したスキャンファイルが、後述するようにＵＳＢメモリ２に送信されるまでの間、保存し続ける。
【００５１】
次に、制御部１０１は、画像メモリ１０９に保存されたスキャンファイルを参照して、そのスキャンファイルの容量を示す値である容量データを取得する（Ｓ１０４）。そして、制御部１０１は、次に、スキャナ処理の開始時に指定されたスキャンファイルの保存先の空き容量データを取得する。すなわち、本実施形態においては、ＵＳＢメモリ２の空き容量データを取得する（Ｓ１０５）。そして、ステップ１０４において取得したスキャンファイルの容量データとステップ１０５において取得したＵＳＢメモリ２の空き容量データとに基づいて、スキャンファイルの容量がＵＳＢメモリ２の空き容量以下か否か判断する（Ｓ１０６）。
【００５２】
スキャンファイルの容量データがＵＳＢメモリ２の空き容量データ以下であると判断すると（Ｓ１０６：ＹＥＳ）、制御部１０１は、画像メモリ１０９に保存されているスキャンファイルをＵＳＢメモリ２に送信して、ＵＳＢメモリ２の記憶部２０２に保存する処理を行い（Ｓ１０７）、スキャナ処理を終了する。
【００５３】
一方、スキャンファイルの容量データがＵＳＢメモリ２の空き容量データよりも大きいと判断すると（Ｓ１０６：ＮＯ）、ＵＳＢメモリ２の既記憶データを報知部１０５に表示する処理を行う（Ｓ１０８）。すなわち、制御部１０１は報知部１０５の液晶表示装置１１６に、ＵＳＢメモリ２の記憶部２０２に既に記憶されている既記憶データのファイル名等の情報を配列して表示する。このとき液晶表示装置１１６には、ＵＳＢメモリに記憶されている既記憶データのファイル名、ファイルの容量（サイズ）、ファイルの作成日時、ファイルの種類および書き込み権限の有無などの情報が表示され、ユーザは操作部１０４を操作しおよび液晶表示装置１１６のタッチパネル自体を操作する等して、各既記憶データのファイルを指定可能である。なお、詳しくは後述する。
【００５４】
ＵＳＢメモリ２の既記憶データの表示処理を行うと（Ｓ１０８）、ユーザは操作部１０４および液晶表示装置１１６のタッチパネルを操作して、各種処理の指示を入力する。制御部１０１は、ユーザにより入力された指示が指定された既記憶データの削除指示であると判断すると（Ｓ１０９：ＹＥＳ）、ユーザにより指定された既記憶データを削除する（Ｓ１１０）。既記憶データを削除すると、ステップ１０５に処理が戻される。すなわち、既記憶データの削除により増えたＵＳＢメモリ２の空き容量データを取得し（Ｓ１０５）、ステップ１０４で取得したスキャンファイルの容量データがＵＳＢメモリ２の空き容量データ以下か否か判断する（Ｓ１０６）。そして、ＵＳＢメモリ２の空き容量データ以下であると判断すると（Ｓ１０６：ＹＥＳ）、ＵＳＢメモリ２にスキャンファイルを送信し（Ｓ１０７）、ＵＳＢメモリの空き容量よりも大きいと判断すると（Ｓ１０６：ＮＯ）、更にＵＳＢメモリ２の既記憶データを表示して（Ｓ１０８）、既記憶データの削除等の指示の入力を受け付ける。
【００５５】
ユーザにより入力された指示が指定された既記憶データの削除指示で無ければ（Ｓ１０９：ＮＯ）、次に、ＵＳＢメモリ２が交換されたか否か判断される（Ｓ１１１）。具体的には、ユーザが操作部１０４および液晶表示装置１１６のタッチパネルを操作してＵＳＢメモリの接続をＯＦＦにする。すなわち、複合機１からＵＳＢメモリ２にアクセスできない状態にする。そして、ユーザが複合機１のＵＳＢポート１１４からＵＳＢメモリ２を物理的に取り外し、新たなＵＳＢメモリ２のＵＳＢポート２０４を複合機１のＵＳＢポート１１４に挿し込む。そして、新たなＵＳＢメモリ２が複合機１のＵＳＢホストコントローラ１１３により認識されると、ＵＳＢメモリ２が交換されたと判断する。
【００５６】
ＵＳＢメモリ２が交換されたと判断すると（Ｓ１１１：ＹＥＳ）、ステップ１０５に処理が戻される。すなわち、交換された新たなＵＳＢメモリ２の空き容量データを取得し（Ｓ１０５）、ステップ１０４で取得した画像ファイルの容量データがＵＳＢメモリ２の空き容量データ以下か否か判断し（Ｓ１０６）、ＵＳＢメモリ２の空き容量データ以下であると判断すると（Ｓ１０６：ＹＥＳ）、ＵＳＢメモリ２に画像ファイルを送信し（Ｓ１０７）、ＵＳＢメモリの空き容量よりも大きいと判断すると（Ｓ１０６：ＮＯ）、更にＵＳＢメモリ２の既記憶データを表示して（Ｓ１０８）、既記憶データの削除等の指示の入力を受け付ける。
【００５７】
このように、ＵＳＢメモリ２の既記憶データの削除（Ｓ１１０）やＵＳＢメモリ２の交換（１１１）がなされて、ＵＳＢメモリ２の記憶部２０２に記憶されているデータが更新されると、複合機１の報知部１０５の液晶表示装置１１６に表示しているＵＳＢメモリ２の既記憶データのファイル名等の情報も更新することとなる。
【００５８】
ステップ１１１においてＵＳＢメモリ２が交換されていないと判断すると（Ｓ１１１：ＮＯ）、次に、ユーザにより入力された指示がスキャン処理の中止指示か否か判断する（Ｓ１１２）。スキャン処理の中止指示であると判断すると（Ｓ１１２：ＹＥＳ）、そのまま、スキャン処理を終了する。一方、スキャン処理の中止指示でないと判断されると、ステップ１０９に戻って、ユーザより指示が入力されるまで処理（Ｓ１０９、Ｓ１１１、Ｓ１１２）をループする。
【００５９】
次に、スキャンファイル（画像データ）の容量がＵＳＢメモリ２の空き容量よりも大きいときに行われる複合機１の制御部１０１の処理の一例について図４から図１２に基づいて説明する。図４から図１２はそれぞれ図３のフローチャートにおいてステップ１０８で示したように、ＵＳＢメモリ２の既記憶データの表示処理において表示される複合機１の報知部１０５の液晶表示装置１１６の表示を示す図面である。
【００６０】
スキャンファイルの容量がＵＳＢメモリ２の空き容量よりも大きいときにはＵＳＢメモリ２にスキャンファイルを記憶させることができない。そこで、まず、制御部１０１は、図４に一例を示すように、ＵＳＢメモリ２の記憶部２０２の内部をツリー状に表示する。そして、ユーザが操作部１０４および液晶表示部１１６のタッチパネルを操作することにより、複数あるフォルダの中から１つのフォルダが選択される。例えば、本実施形態ではフォルダＡが選択される。
【００６１】
フォルダＡの選択を操作部１０４等が受け付けると、図５に示すようにフォルダＡ内に既に記憶されている既記憶データのファイル名３１３、既記憶データの容量３１４、既記憶データの作成日時３１５、ファイルの種類３１６および書き込み権限（削除可否３１７）の有無を配列して表示する。また、既記憶データの情報の配列表示の上側には後述する複数の情報を表示しており、既記憶データの情報の配列表示の下側には中止３０８、削除３０９、交換３１０、並び替え３１１の各処理を選択可能に表示する。
【００６２】
本実施例においては図５に示すように、作成日時の古いファイルを上から順に表示している。すなわち、最も作成日時が古い２００６年７月２５日１０時８分２３秒に作成されたファイルａを最も上の段に表示し、次に作成日時が古い２００６年７月２５日１１時２３分１３秒に作成されたファイルｂを２番目の段に表示する。そして、３番目以降の段にも作成日時が古い順にファイルｃからファイルｈを表示する。
【００６３】
この既記憶データの情報の配列は並び替えの選択を受け付けることで変更可能であり、例えば液晶表示部１１６のタッチパネルが、容量３１４および並び替え３１１の選択を受け付けることで、図６に示すように、既記憶データの容量の大きい順に上から配列して表示することができる。すなわち、最も大きな容量の６３０ｋｂ（キロバイト）の容量のファイルｈを最も上の段に表示し、２番目の段以降も容量の大きい順にファイルｄ、ａ、ｅ、ｂ、ｆ、ｃ、ｇと配列して表示する。また、このほかにも既記憶データのファイルの種類順、例えば、ＴＩＦＦファイル、ＪＰＥＧファイル、ＰＤＦファイル、ビットマップファイルの順に配列して表示することもでき、既記憶データのファイルが書き込み禁止されたファイルか、書き込み許可されたファイルかに分けて表示することもできる。また、作成日時の新しい順や既記憶データファイルの容量の小さい順に上から並べて表示することもできる。
【００６４】
なお、これらの配列して表示された既記憶データのファイルの情報は、操作部１０４のカーソルキーによって指定され、ポインタ３０７によって表示される。図５によると、ポインタ３０７によってファイルｂが指定されていることが表示されている。また、図示しないが、既記憶データのファイル情報の指定は１つのファイルのみを指定することに限られず、複数のファイルを同時に指定することも可能である。
【００６５】
また、既記憶データのうち所定の属性を有するものについて、既記憶データを表示しないこともできる。例えば、既記憶データのうち削除権限を有さない既記憶データのファイル名等の情報を表示しないように選択することもできる。液晶表示部１１６のタッチパネルが、削除拒否のファイルについては表示しない旨の指示を受け付けると、図７に示すように、削除拒否ファイルであるファイルａおよびｅを表示せずに、削除許可ファイルであるファイルｂ、ｃ、ｄ、ｆ、ｇおよびｈを表示する。
【００６６】
液晶表示装置１１６に示されるＵＳＢメモリ２の既記憶データのファイル名等の情報の表示の上には、複数の情報を表示しており、複合機１の原稿読取部１０６が読取って、画像メモリ１０９に記憶されているスキャンファイルの容量３０１も表示する。本実施形態の図５においてはスキャンファイルの容量３０１として５５０ｋｂ（キロバイト）を表示している。また、スキャンファイルの容量３０１の表示の下には、ＵＳＢメモリ２の空き容量３０２を表示している。本実施形態の図５においてはＵＳＢメモリ２の空き容量３０２として２００ｋｂを表示している。更に、ＵＳＢメモリ２の空き容量３０２の表示の下には、スキャンファイルを保存するために更に必要となるＵＳＢメモリ２の空き容量を不足容量３０３として表示している。本実施形態の図５においては３５０ｋｂを表示している。
【００６７】
すなわち、５５０ｋｂの容量のスキャンファイルを空き容量２００ｋｂのＵＳＢメモリ２に新たに記憶させるためには、更にＵＳＢメモリ２の空き容量を３５０ｋｂ増やさなければならないことを表示している。言い換えると、スキャンファイルの容量（５５０ｋｂ）からＵＳＢメモリ２の空き容量（２００ｋｂ）を除した値を表示している。
【００６８】
また、スキャンファイルの容量３０１、ＵＳＢメモリ２の空き容量３０２および不足容量３０３の隣には、更に、ユーザが任意に指定する既記憶データファイルのファイル名３０４、ファイル容量３０５、削除した場合のＵＳＢメモリ２の空き容量の見込み３０６が表示される。例えば、図５では、ファイルｂが指定されているので、ファイル名に「ファイルｂ」が表示され、ファイル容量に「２４０ｋｂ」が表示され、空き容量見込みに「４４０ｋｂ」が表示される。すなわち、ＵＳＢメモリ２に記憶されているファイルｂの容量は２４０ｋｂであって、ＵＳＢメモリ２からファイルｂを削除すると、現在のＵＳＢメモリ２の空き容量である２００ｋｂから２４０ｋｂ増えて、ＵＳＢメモリ２の空き容量が４４０ｋｂとなるという情報が表示されている。
【００６９】
なお、図示しないが、ユーザが任意に指定する既記憶データファイルは複数であってもよく、複数指定する場合は、ファイル名３０４に複数のファイルが併記され、ファイル容量３０５に複数のファイルの合計容量が表示され、空き容量見込み３０６に指定するファイルを全て削除した場合のＵＳＢメモリ２の空き容量の見込みが表示される。
【００７０】
なお、配列して表示されているＵＳＢメモリ２の既記憶データのファイルのうち、1つのファイルのみを削除することでスキャンファイルをＵＳＢメモリ２に保存することができるようになるファイルは、白黒を反転して表示している。すなわち、白黒を反転して表示しているファイルは、前述の不足容量以上の容量のファイルであって、ファイル権限が削除可能なファイルである。例えば、図５においては、ファイルｄとファイルｈとが反転している。
【００７１】
ＵＳＢメモリ２に記憶されている既記憶データの中から指定した既記憶データのファイルを削除するときは、まず、操作部１０４を操作して、削除する既記憶データのファイル名を指定する。例えば、図５において示すように、ポインタ３０７の表示によりファイルｂを指定している。そして液晶表示装置１１６のタッチパネルを操作して、処理内容の削除３０９を選択する。このように、既記憶データのファイル名および削除の処理内容を操作部１０４および液晶表示装置１１６のタッチパネルが受け付けると、複合機１の制御部１０１はＵＳＢメモリ２の記憶部２０２から指定した既記憶データであるファイルｂを削除する。既記憶データを削除すると、削除することによって増加したＵＳＢメモリ２の空き容量がスキャンファイルの容量以上か否か判断し、以上であると判断するとそのままＵＳＢメモリ２にスキャンファイルを記憶させる。一方、ＵＳＢメモリ２の空き容量がスキャンファイルの容量未満であると判断すると、このままではＵＳＢメモリ２にスキャンファイルを記憶させることはできないので、図８に示すように液晶表示装置１１６の表示内容を更新する。すなわち、ＵＳＢメモリ２に記憶されている既記憶データファイルの表示からファイルｂの情報を削除し、ＵＳＢメモリ２の空き容量３０２にファイルｂの容量である２４０ｋｂを加算し、不足容量３０３からファイルｂの容量である２４０ｋｂを減算する。したがって空き容量３０２には４４０ｋｂを表示し、不足容量３０３には１１０ｋｂを表示する。なお、このとき、不足容量である１１０ｋｂ以上の既記憶データであって、削除可能である既記憶データのファイル情報を反転して表示する。すなわちファイルｃ、ｄ、ｆおよびｈを白黒反転して表示する。
【００７２】
なお、既記憶データファイルを削除するときに、指定する既記憶データのファイル数はは１つであってもよく、また複数であってもよい。
【００７３】
液晶表示装置１１６の既記憶データの情報が配列して表示されている右側には詳細情報を表示するボタン３１２が配置されている。ここで、ファイル名および詳細情報を表示するボタン３１２を選択すると、既記憶データのファイルの詳細情報を表示する。例えばファイルｃの指定および詳細情報の選択を液晶表示装置１１６のタッチパネルが受け付けると、図９に示すように、ファイルｃの詳細情報が表示される。この詳細情報表示では、ファイルに付けられた任意のタイトル、表題、作成者名、ファイルの容量、作成日時、ファイルの種類、アクセス権限、書き込み権限、画像の幅、画像の高さ、水平解像度、垂直解像度、ビットの深さ、フレーム数、ページ数が表示されるとともに、画像のサムネイルが表示される。
【００７４】
また、ＵＳＢメモリ２を交換するときには、まず、操作部１０４及び液晶表示装置１１６のタッチパネルを操作して、交換の処理を選択する。操作部１０４等が交換の処理の選択を受け付けると、制御部１０１はＵＳＢメモリ２との接続をＯＦＦにし、ＵＳＢメモリ２と通信できない状態にする。そして、ユーザがＵＳＢメモリ２を複合機１のＵＳＢポート１１４から物理的に取り外し新たなＵＳＢメモリ２を複合機１のＵＳＢポート１１４に取り付ける。制御部１０１は新たなＵＳＢメモリ２の取り付けを検出すると、新たなＵＳＢメモリ２の空き容量がスキャンファイルの容量以上か否か判断し、以上であると判断するとそのままＵＳＢメモリ２にスキャンファイルを記憶させる。一方、ＵＳＢメモリ２の空き容量がスキャンファイルの容量未満であると判断すると、図１０に示すように、新たなＵＳＢメモリ２の記憶部２０２の内部をツリー状に表示する。そして、ユーザが操作部１０４および液晶表示部１１６のタッチパネルを操作することにより、複数あるフォルダの中から１つのフォルダが選択される。操作部１０４等がフォルダの選択を受け付けると、制御部１０１は選択されたフォルダ内の既記憶データのファイルの情報を配列して表示する。例えば、図１０においてフォルダＥが選択されると、図１１に示すようにフォルダＥ内の既記憶データのファイルであるファイルｖ、ｗ、ｘ、ｙおよびｚを上から順に作成日時の古いファイルから配列して表示する。
【００７５】
以上に説明したように、画像メモリ１０９に記憶されたスキャンデータはＵＳＢメモリ２に送信するまで記憶される。したがって、ＵＳＢメモリ２の空き容量が画像メモリ１０９に記憶されているスキャンデータの容量未満のときであっても、画像メモリ１０９に記憶されたスキャンデータは破棄されない。すなわち接続されているＵＳＢメモリ２の容量が不足して、画像メモリ１０９に記憶されているスキャンデータをＵＳＢメモリ２に記憶させることができない場合にも、画像メモリ１０９に記憶されているスキャンデータは破棄されない。したがって、ＵＳＢメモリに記憶されている既記憶データを削除するなどしてＵＳＢメモリ２に記憶できる容量を増やすことで、再度原稿画像を読取ることなく、スキャンデータをＵＳＢメモリ２に記憶させることができる。
【００７６】
また、接続されているＵＳＢメモリ２の空き容量が画像メモリ１０９に記憶されているスキャンデータの容量未満のとき、すなわち、接続されているＵＳＢメモリ２の容量が不足して画像メモリ１０９に記憶されているスキャンデータをＵＳＢメモリ２に記憶させることができない場合に、ＵＳＢメモリに既に記憶されている既記憶データが報知部１０５の液晶表示装置１１６に表示され、表示された既記憶データの中から操作部１０４により受け付けられた入力に基づいて指定されたデータが削除される。そして、指定されたデータを削除することによりＵＳＢメモリ２の空き容量が画像メモリ１０９に記憶されているスキャンデータの容量以上となると、画像メモリ１０９に記憶されているスキャンデータはＵＳＢメモリ２に送信される。したがって、ＵＳＢメモリ２の空き容量が足りなくなったときでも、報知部１０５の液晶表示装置１１６に表示された既記憶データの中から削除するデータを選択して削除を指示するだけで、簡便にスキャンデータをＵＳＢメモリ２に記憶させることができる。
【００７７】
また、ＵＳＢメモリの空き容量が画像メモリに記憶されているスキャンデータの容量未満のときは、ＵＳＢメモリに記憶されているスキャンデータを送信しない。したがって、一旦ＵＳＢメモリ２へのスキャンデータの送信を開始し、送信途中でＵＳＢメモリ２の記憶容量オーバーにより送信エラーとなるといった余計な処理を行わないので、ＵＳＢホストコントローラ１１３、ＵＳＢポート１１４および制御部１０１に余計な負荷が掛からず、処理時間も短縮することができる。
【００７８】
さらに、ＵＳＢメモリ２に既に記憶されている既記憶データが報知部１０５の液晶表示装置１１６に表示されるときに、既記憶データは既記憶データが保管されているフォルダ毎に表示でき、また、既記憶データのファイル名、ファイル容量、作成日時、ファイルの種類、削除権限の有無などの情報によって配列して表示できるので、ユーザは削除する既記憶データを容易に見つけることができる。例えば作成日時の古いファイルから順に配列して表示することで、作成日時に基づいて削除するファイルを指定および選択しやすい。また、例えば原稿読取部１０６で読取ったスキャンデータを重要度に応じてフォルダを分けて保管するようにしている場合などに、より重要度の低い既記憶データを削除候補のデータとして配列して表示することができる。したがって、ユーザは任意の既記憶データのグループを容易に見つけることができるようになり、削除する既記憶データを容易に見つけることができる。したがって、ユーザ操作をより簡便にすることができる。
【００７９】
また、削除する権限を有さない既記憶データを報知部１０５の液晶表示装置１１６に表示しないようにすることで、ユーザは削除できるファイルだけから既記憶データを指定して削除を選択することができ、削除する既記憶データを見つけやすい。
【００８０】
さらに、ユーザはＵＳＢメモリ２の空き容量が画像メモリ１０９に記憶されているスキャンデータの容量未満のときに、液晶表示装置１１６に示される値を確認することで、ＵＳＢメモリの空き容量および画像メモリ１０９に記憶されているスキャンデータの容量を把握することができる。したがって、ユーザは可搬型記憶装置の空き容量をどれだけ増やせば、画像メモリ１０９に記憶されているスキャンファイルをＵＳＢメモリ２に記憶させることができるか把握することができる。
【００８１】
また、削除すれば画像メモリ１０９に記憶されているスキャンデータをＵＳＢメモリ２に記憶することができるようになる既記憶データが強調して表示されることとなるので、ユーザは強調された既記憶データの表示の中から既記憶データを指定して削除を選択すればよいので、より簡単に削除する既記憶データを指定して削除することができる。
【００８２】
また、ユーザは液晶表示装置１１６に表示される値を確認することで、ＵＳＢメモリ２に記憶されている既記憶データの中から指定したデータを削除したときのＵＳＢメモリ２の空き容量の見込みを把握することができる。したがって、ユーザはどの既記憶データを削除すると、画像メモリ１０９に記憶されているスキャンデータをＵＳＢメモリ２に記憶させることができるか容易に把握できる。
【００８３】
さらに、ＵＳＢメモリの空き容量が画像メモリ１０９に記憶されているスキャンデータの容量未満の場合に、新たなＵＳＢメモリ２に交換したときにも、画像メモリ１０９に記憶されたスキャンデータは破棄されない。したがって、ＵＳＢメモリ２を交換して新たなＵＳＢメモリ２にスキャンデータを記憶させる場合にも、原稿画像を再度読取らなくて良いので、ユーザの作業が煩雑となることを防ぐことができる。
【００８４】
なお、上述の実施の形態は一例であり、実施の形態は、上述の形態に限ることなく、本発明の思想の範囲を逸脱しない範囲で適宜変更することができる。例えば、本実施形態においては、ＵＳＢメモリ２の空き容量がスキャンファイルの容量以下のときには報知部１０５の液晶画像装置１１６にＵＳＢメモリ２の記憶部２０２の内部に記憶された既記憶データがフォルダ毎のツリー構造で表示されるものとしたが、フォルダ毎に分けることなく、ＵＳＢメモリ２に記憶されている全てのデータを配列して表示するものであってもよい。
【００８５】
また、本実施形態においては、ＵＳＢメモリ２を交換するときには、複合機１の操作部１０４および報知部１０５の液晶表示装置１１６のタッチパネルを操作して交換の処理を選択した上で、複合機１のＵＳＢポート１１４からＵＳＢメモリ２を抜き取り、新たなＵＳＢメモリ２を差し込むものであるが、交換の処理を選択する作業をなくし、複合機１のＵＳＢポート１１４からＵＳＢメモリ２を抜き取り、新たなＵＳＢメモリ２を差し込むだけであってもよい。また、複合機１のＵＳＢポート１１４を複数設け、複数のＵＳＢメモリ２を差し込むものとし、複数のＵＳＢメモリ２のうちから選択された１つのＵＳＢメモリ２に、スキャンデータを記憶させる構成としても良い。この場合、ＵＳＢメモリ２を交換するときには、複合機１の操作部１０４および報知部１０５の液晶表示装置１１６のタッチパネルを操作して交換の処理を選択し、複合機１のＵＳＢポート１１４に差し込まれた複数のＵＳＢメモリ２のうちから１つのＵＳＢメモリ２を選択するだけで、ＵＳＢメモリ２を実際に抜き差しすることなしに交換の処理ができる構成としてもよい。
【００８６】
なお、本発明の「読取手段」は本実施形態においては原稿読取部１０６に相当する。また、本発明の「画像データ」は本実施形態においてはスキャンデータおよびスキャンファイルが相当する。また、本発明の「可搬型記憶装置」は本実施形態においてはＵＳＢメモリ２が相当するが、持ち運び可能な記憶媒体であれば、本発明に適用することができることは言うまでもない。また、本発明の「一時記憶手段」は本実施形態においては画像メモリ１０９が相当するが、例えばＲＡＭ１０３に記憶する構成であってもよく、画像処理装置内部に備わり画像データを記憶できるものであればよい。また、本発明の「接続手段」は本実施形態においてはＵＳＢホストコントローラ１１３およびＵＳＢポート１１４が相当する。また、本発明の「表示手段」は本実施形態においては報知手段１０５が相当し、主に液晶表示装置１１６が相当する。また、本発明の「受付手段」は本実施形態においては操作部１０４および報知部１０５の液晶表示装置１１６のタッチパネルがこれに相当する。また、本発明の「制御手段」は本実施形態においては制御部（ＣＰＵ）がこれに相当する。また、本発明の「画像処理装置」は本実施形態においては複合機１がこれに相当するが、スキャナ機能を有し可搬型の記憶装置を接続することができるあらゆる装置に適用することができる。また、本発明の「既記憶データの保管場所」は本実施形態においては既記憶データが管理されているフォルダがこれに相当するが、フォルダに限られるものではなくディレクトリなどデータへのアクセスを容易にするために便宜的に設けられた場所でよい。また、本発明の「選択されたデータ」とは本実施形態においては、既記憶データのファイルが指定され、処理内容の削除が選択されたものをいい、本発明の「指定されたデータ」とは既記憶データのファイル名が指定されたものをいう。
【産業上の利用可能性】
【００８７】
本発明は、例えば、接続した可搬型記憶装置に読取った画像データを記憶させる画像記憶装置に適用可能である。
【図面の簡単な説明】
【００８８】
【図１】本発明に係る画像処理装置の一例としての複合機１の構成例を示すブロック図。
【図２】可搬型記憶装置の一例としてのＵＳＢメモリ２の構成例を示すブロック図。
【図３】スキャナ処理のルーチンの一例を示すフローチャート。
【図４】液晶表示装置１１６に表示され、ＵＳＢメモリ２に記憶された既記憶データの保管場所を示すツリー図。
【図５】液晶表示装置１１６に表示され、ＵＳＢメモリ２に記憶された既記憶データのファイルを作成日時順に配列して表示した図。
【図６】液晶表示装置１１６に表示され、ＵＳＢメモリ２に記憶された既記憶データのファイルを容量の大きい順に配列して表示した図。
【図７】液晶表示装置１１６に表示され、ＵＳＢメモリ２に記憶された既記憶データのファイルの内削除できないファイル以外を表示した図。
【図８】液晶表示装置１１６に表示され、図５の状態からファイルｂを削除した図。
【図９】液晶表示装置１１６に表示され、ファイルｃの詳細を示す図。
【図１０】ＵＳＢメモリ２を交換した後に、液晶表示装置１１６に表示されるＵＳＢメモリ２に記憶された既記憶データの保管場所を示すツリー図。
【図１１】図１０において、フォルダＥを選択したときに、液晶表示装置１１６に表示される図。
【符号の説明】
【００８９】
１      複合機（画像表示装置）
２      ＵＳＢメモリ（可搬型記憶装置）
１０１  制御部（ＣＰＵ）
１０２  ＲＯＭ
１０３  ＲＡＭ
１０４  操作部
１０５  報知部
１０６  原稿読取部
１０９  画像メモリ
１１３  ＵＳＢホストコントローラ
１１４  ＵＳＢポート
２０２  記憶部
【図１】
2008066934.tif 000003
【図２】
2008066934.tif 000004
【図３】
2008066934.tif 000005
【図４】
2008066934.tif 000006
【図５】
2008066934.tif 000007
【図６】
2008066934.tif 000008
【図７】
2008066934.tif 000009
【図８】
2008066934.tif 000010
【図９】
2008066934.tif 000011
【図１０】
2008066934.tif 000012
【図１１】
2008066934.tif 000013